(57)【特許請求の範囲】
【請求項１】
流体取り入れ口と、この流体取り入れ口から取り入れられた流体を外部に吐き出す流体吐き出し口とを備えたルーバーにおいて、
互いに分離・結合自在で、結合させることにより前記流体取り入れ口および前記流体吐き出し口を形成する一対の羽板部材と、
結合された前記羽板部材間に挟持され、当該羽板部材と協働して前記流体取り入れ口と前記流体吐き出し口との間に一対の流体通路を形成する仕切部材とを備え、
前記一対の羽板部材は、前記流体吐き出し口の幅を前記流体取り入れ口の幅よりも小さくするとともに、前記流体吐き出し口の前記幅と直交する方向の寸法を前記流体取り入れ口の前記幅と直交する方向の寸法よりも大きく形成し、
前記仕切部材は、前記流体取り入れ口から取り入れた流体を前記流体吐き出し口の幅と直交する方向に拡散させるガイドが一体に設けられている
ことを特徴とするルーバー。
【請求項２】
互いに分離・結合自在で、結合させることにより流体取り入れ口および、この流体取り入れ口から取り入れられた流体を外部に吐き出す流体吐き出し口を形成する一対の羽板部材と、結合された前記羽板部材間に挟持され、当該羽板部材と協働して前記流体取り入れ口と前記流体吐き出し口との間に一対の流体通路を形成する仕切部材とを備え、前記一対の羽板部材は、前記流体吐き出し口の幅を前記流体取り入れ口の幅よりも小さくするとともに、前記流体吐き出し口の前記幅と直交する方向の寸法を前記流体取り入れ口の前記幅と直交する方向の寸法よりも大きく形成し、前記仕切部材は、前記流体取り入れ口から取り入れた流体を前記流体吐き出し口の幅と直交する方向に拡散させるガイドが一体に設けられているルーバーと、
前記パネルに前記流体吐き出し口と合致する流体排出口と、
前記流体排出口の端縁に結合された前記羽板部材の一端を枢支する枢支部とを備え、
前記パネルの裏面側に取り付けたカバーと遊技用台間機に設置されたパネルとで前記羽板部材の他端側を挟むことを特徴とする、遊技用台間機に設置されたパネルに取り付けるルーバーの取付構造。
【発明の詳細な説明】
【技術分野】
【０００１】
本発明は、パチンコ等の遊技用台間機に設置された空気清浄装置から吹き出される空気の吹き出し方向を設定するルーバーおよびルーバーの取付構造に関するものである。
【背景技術】
【０００２】
この種の遊技用台間機に設置された空気清浄装置としては、特許文献１に記載されたものがある。すなわち、遊技用台間機に縦長状の本体ケースが設置され、この本体ケース内に、吸入口から吸入された汚染空気の汚染物質を除去するエアフィルタと、汚染空気を吸引するファンユニットと、マイナスイオン化されたイオン風より汚染空気を浄化する空気浄化ユニットとがエアの流れ方向に設けられ、浄化された空気が排出口から排出されるものである。
【先行技術文献】
【特許文献】
【０００３】
【特許文献１】特開２００８−２６４０５９号公報
【発明の概要】
【発明が解決しようとする課題】
【０００４】
上述したような従来の装置においては、浄化された空気が単に排出口から排出される構造であるため、排出口から排出される浄化された空気の風速が十分でないことにより、浄化された空気が遊技者まで十分に届かないという問題があった。また、排出口から排出される浄化された空気の方向が遊技者に対して直進する方向のみであるため、浄化された空気によって形成されるエアーカーテンが隣接する遊技台との間を確実に遮断することができないという問題があった。
【０００５】
本発明は上記した従来の問題に鑑みなされたものであり、その目的とするところは、浄化された十分な量の空気が遊技者の全身に届くようにするとともに、浄化された空気によって形成されるエアーカーテンが隣接する遊技台との間を確実に遮断することにある。
【課題を解決するための手段】
【０００６】
この目的を達成するために、本発明は、流体取り入れ口と、この流体取り入れ口から取り入れられた流体を外部に吐き出す流体吐き出し口とを備えたルーバーにおいて、互いに分離・結合自在で、結合させることにより前記流体取り入れ口および前記流体吐き出し口を形成する一対の羽板部材と、結合された前記羽板部材間に挟持され、当該羽板部材と協働して前記流体取り入れ口と前記流体吐き出し口との間に一対の流体通路を形成する仕切部材とを備え、前記一対の羽板部材は、前記流体吐き出し口の幅を前記流体取り入れ口の幅よりも小さくするとともに、前記流体吐き出し口の前記幅と直交する方向の寸法を前記流体取り入れ口の前記幅と直交する方向の寸法よりも大きく形成し、前記仕切部材は、前記流体取り入れ口から取り入れた流体を前記幅と直交する方向に拡散させるガイドが一体に設けられているものである。
【０００８】
本発明は、互いに分離・結合自在で、結合させることにより流体取り入れ口および、この流体取り入れ口から取り入れられた流体を外部に吐き出す流体吐き出し口を形成する一対の羽板部材と、結合された前記羽板部材間に挟持され、当該羽板部材と協働して前記流体取り入れ口と前記流体吐き出し口との間に一対の流体通路を形成する仕切部材とを備え、前記一対の羽板部材は、前記流体吐き出し口の幅を前記流体取り入れ口の幅よりも小さくするとともに、前記流体吐き出し口の前記幅と直交する方向の寸法を前記流体取り入れ口の前記幅と直交する方向の寸法よりも大きく形成し、前記仕切部材は、前記流体取り入れ口から取り入れた流体を前記流体吐き出し口の幅と直交する方向に拡散させるガイドが一体に設けられているルーバーと、前記パネルに前記流体吐き出し口と合致する流体排出口と、前記流体排出口の端縁に結合された前記羽板部材の一端を枢支する枢支部とを備え、前記パネルの裏面側に取り付けたカバーと遊技用台間機に設置されたパネルとで前記羽板部材の他端側を挟むものである。
【発明の効果】
【０００９】
本発明によれば、ルーバーの流体取り入れ口から取り入れられた流体は、流体吐き出し口から吐き出されるときに流速が増加するので、浄化された充分な量の空気が遊技者に届く。また、排出口から排出される流体が遊技者の上下方向に拡散されて流体によるカーテンが形成されるので、浄化された空気によるカーテンが隣接する遊技台との間を確実に遮断する。このようにルーバーは、そのルーバー単独の構成により流体の流速を増加し、かつ流体の上下方向への拡散によりカーテンを形成するという２つを同時に実現することができる。
【００１０】
前記発明のうちの一つの発明によれば、ルーバーをパネルに取り付ける際にパネルに固定するカバーを利用して行うため、取付け作業が容易になるとともに組付け工数が削減される。
【図面の簡単な説明】
【００１１】
【図１】同図（Ａ）は本発明に係るルーバーが取り付けられたパネルの正面図、同図（Ｂ）は同図（Ａ）におけるＩ（Ｂ）部の拡大図である。
【図２】図１（Ｂ）におけるII-II 線断面図である。
【図３】本発明に係るルーバーに空気を送風する空気清浄装置を一部破断して示す斜視図である。
【図４】本発明に係るルーバーを分解して示す斜視図である。
【図５】本発明に係るルーバーをパネルに取り付ける状態を説明するために背面側から視た斜視図である。
【図６】本発明に係るルーバーを取り付けた状態のパネルの背面図である。
【図７】図２におけるVII-VII 線断面図である。
【発明を実施するための形態】
【００１２】
以下、本発明の実施の形態を図１ないし図７に基づいて説明する。
【００１３】
図１（Ａ）に全体を符号１で示す遊技装置は、互いに隣接する遊技機としてのパチンコ台２，２と、これらパチンコ台２，２との間に設けられた台間機３とを備え、台間機３の正面板には、同図（Ｂ）に示すようにパネル４が取り付けられており、このパネル４に対応して台間機３の内部には、後述する空気清浄装置１１および本発明に係るルーバー３０が備えられている。このパネル４の前面板には、図中上下方向に延在するようにスリット状に形成された吹出口５が設けられており、この吹出口５は上下方向が長さＬに形成され、ルーバー３０の第１および第２の流体吐き出し口６３，６４に対応している。
【００１４】
次に、図２および図３を用いて、空気清浄装置について説明する。空気清浄装置１１は、図３に示すように箱状に形成された筺体１２を備えており、この筺体１２内には、送風機としてのブロア１３を収容するブロア収容室１４と、このブロア収容室１４と矢印Ｂ方向に隣接し、イオン発生機１５を収容するイオン発生機収容室１６と、このイオン発生機収容室１６の下方（矢印Ｄ方向）に隣接する空気通路としての第１のダクト１７とが形成されている。
【００１５】
ブロア収容室１４およびイオン発生機収容室１６の矢印Ｅ方向側は、図示を省略しているが、それぞれ側面壁とカバーによって覆われている。上記したブロア１３は、吸入口１３ａと直交する方向（矢印Ｂ方向）に、当該吸入口１３ａから吸入した空気Ｗ１を吐出する吐出口１３ｂが設けられており、この吐出口１３ｂから吐出された空気Ｗ１は上記したダクト１７に導入される。
【００１６】
ダクト１７は矢印Ａ−Ｂ方向に延在し、矢印Ａ−Ｂ方向の両端部が開口され、矢印Ａ方向の開口端部はブロア１３の吐出口１３ｂと対向し、仕切壁１８を挟んで矢印Ｅ−Ｆ方向に空気通路としての二つのイオン用ダクト１９，２０が設けられている。これらイオン用ダクト１９，２０の各矢印Ｂ方向の開口端部には、空気Ｗ２を排出する排出口１９ａ，２０ａが設けられている。
【００１７】
上記したイオン用ダクト１９，２０の各天井部には、イオン発生機１５から発生されたプラスイオンとマイナスイオンのそれぞれが各イオン用ダクト１９，２０に供給されるための孔（図示せず）が設けられている。
【００１８】
このような構成において、ブロア１３を作動させると、吸入口１３ａからブロア１３内に空気が吸入され、吐出口１３ｂからイオン用ダクト１９，２０内に空気Ｗ１が吐出される。一方のイオン用ダクト１９に吐出された空気Ｗ１にはマイナスイオンが放出され、マイナスイオンが含有された空気Ｗ２が排出口１９ａが排出される。他方のイオン用ダクト２０に吐出された空気Ｗ１にはプラスイオンが放出され、プラスイオンが含有された空気Ｗ２が排出口２０ａが排出される。
【００１９】
図５において、パネル４は裏面側が開口された箱状に形成されており、裏面側にカバー２５をねじ２６によって取り付けるボス２３，２３が立設されている。吹出口５の下端には、図２に示すようにルーバー３０の後述する下端部３０ａと係合する枢支突起２１が上方に向かって突設されている。また、この吹出口５の裏面側の全周には、図７に示すようにルーバー３０の後述する張り出し部３２ａと係合する係合段部２２が設けられている。
【００２０】
次に、図２、図４、図７を用いて、本発明の特徴であるルーバーについて説明する。図４に全体を３０で示すルーバーは、一対の羽板部材３１，４１と、これら羽板部材３１，４１を結合させることにより、羽板部材３１の端面３２ａ，３３ａ，３４ａと羽板部材４１の端面４２ａ，４３ａ，４４ａとで保持される仕切板５１とによって構成されている。
【００２１】
羽板部材３１は正面視台形状に形成された側板３２と、この側板３２の両端部において鋭角状に折り返されるように一体に形成された背面部３３，３４とからなり、背面部３３，３４との間には切欠き３６が設けられている。側板３２には、仕切板５１の後述するガイド部５１ａないし５１ｄ（図２参照）が嵌合される四個の凹溝３５ａないし３５ｄが凹設されている。また、この側板３２の切欠き３６が設けられた一端と反対側の他端に、上記したパネル４の係合段部２２と係合する矢印Ｅ方向に張り出された張り出し部３２ａ（図７参照）が矢印Ｃ−Ｄ方向に延在するように突設されている。背面部３３，３４には、先端に爪部３７ａ，３８ａ，３９ａが形成された弾性係合片３７，３８，３９が一体に突設されている。
【００２２】
羽板部材４１は正面視台形状に形成された側板４２と、この側板４２の両端部において鋭角状に折り返されるように一体に形成された背面部４３，４４とからなり、背面部４３，４４との間には切欠き４６が設けられている。側板４２には、仕切板５１の後述するガイド部５２ａないし５２ｄが嵌合される四個の凹溝４５ａないし４５ｄ（図示せず）が凹設されている。また、この側板４２の切欠き４６が設けられた一端と反対側の他端に、上記したパネル４の係合段部２２と係合する矢印Ｆ方向に張り出された張り出し部４２ａ（図７参照）が矢印Ｃ−Ｄ方向に延在するように突設されている。背面部４３，４４には、上記した弾性係合片３７，３８，３９の爪部３７ａ，３８ａ，３９ａが係合する係合孔４７ａ，４８ａ，４９ａが形成された係合部４７，４８，４９が一体に突設されている。図４において、４１ａは上記したカバー２５をねじ２６によってパネル４に固定する際に、このカバー２５が係合する被係合突起４１ａである。
【００２３】
仕切板５１は台形状に形成されており、一方の面に四個のガイド部５１ａないし５１ｄ（図２参照）が突設され、他方の面に四個のガイド部５２ａないし５２ｄが突設されており、このうち、ガイド部５１ａ，５２ａが矢印Ｂ方向に対して矢印Ｃ方向に向かって傾斜し、ガイド部５１ｃ，５２ｃ，５１ｄ，５２ｄが矢印Ｂ方向に対して矢印Ｄ方向に向かって傾斜している。
【００２４】
このような構成において、羽板部材３１，４１を、互いの端面３２ａ，３３ａ，３４ａと端面４２ａ，４３ａ，４４ａとで仕切板５１を挟むようにして、羽板部材３１の弾性係合片３７，３８，３９を弾性変形させながら、爪部３７ａ，３８ａ，３９ａのそれぞれを羽板部材４１の係合部４７，４８，４９の各係合孔４７ａ，４８ａ，４９ａに係合させる。この係合によって、仕切板５１が羽板部材３１の端面３２ａ，３３ａ，３４ａと羽板部材４１の端面４２ａ，４３ａ，４４ａとで挟持された状態で、一対の羽板部材３１，４１が結合され、ルーバー３０が形成される。
【００２５】
このように形成されたルーバー３０は、図５に示すように、切欠き３６と仕切板５１とによって矩形状の第１の流体取り入れ口６１が形成されるとともに、切欠き４６と仕切板５１とによって矩形状の第２の流体取り入れ口６２が形成される。また、第１の流体取り入れ口６１と連通された第１の流体吐き出し口６３が形成され、第２の流体取り入れ口６２と連通された第２の流体吐き出し口６４が形成され、これら第１および第２の流体吐き出し口６３，６４は仕切壁５１を隔てて隣接している。このうち、第１の流体取り入れ口６１の外形は、空気清浄装置１１の排出口１９ａと同じ外形に形成され、第２の流体取り入れ口６２の外形は、空気清浄装置１１の排出口２０ａと同じ外形に形成されている。また、第１の流体吐き出し口６３の開口と第２の流体吐き出し口６４の開口とを合わせた開口の外形は、パネル４の排出口５と同じ外形に形成されている。
【００２６】
第１の流体吐き出し口６３の幅Ｇ１（矢印Ｅ−Ｆ方向の寸法）は、図７に示すように第１の流体取り入れ口６１の幅Ｇ２よりも小さく形成されている。また、第１の流体吐き出し口６３の幅方向と直交する方向（図２において矢印Ｃ−Ｄ方向）の寸法Ｌは、第１の流体取り入れ口６１の幅方向と直交する方向（図２において矢印Ｃ−Ｄ方向）の寸法ｌよりも大きく形成されている。
【００２７】
第２の流体吐き出し口６４の幅Ｇ１（矢印Ｅ−Ｆ方向の寸法）は、図７に示すように第２の流体取り入れ口６２の幅Ｇ２よりも小さく形成されている。また、第２の流体吐き出し口６４の幅方向と直交する方向（図２において矢印Ｃ−Ｄ方向）の寸法Ｌは、第２の流体取り入れ口６２の幅方向と直交する方向（図２において矢印Ｃ−Ｄ方向）の寸法ｌよりも大きく形成されている。
【００２８】
また、仕切板５１のガイド部５１ａないし５１ｄのうち、ガイド部５１ａは、図２に示すように矢印Ｂ方向に向かって、矢印Ｃ方向に傾斜している。したがって、第１の流体取り入れ口６１からルーバー３０内に取り入れられ水平方向に向かう空気は、このガイド部５１ａによって斜め上方（矢印Ｃ方向）に向かうように方向が変えられる。
【００２９】
また、仕切板５１のガイド部５１ａないし５１ｄのうち、ガイド部５１ｃ，５１ｄは、図２に示すように矢印Ｂ方向に向かって、矢印Ｄ方向に傾斜している。したがって、第１の流体取り入れ口６１からルーバー３０内に取り入れられ水平方向に向かう空気は、これらガイド部５１ｃ，５１ｄによって斜め下方（矢印Ｃ方向）に向かうように方向が変えられる。すなわち、第１の流体取り入れ口６１からルーバー３０内に取り入れられ水平方向に向かう空気は、第１の流体吐き出し口６３から吐き出されるとき、これらガイド部５１ａ，５１ｃ，５１ｄによって上下方向（矢印Ｃ−Ｄ方向）に拡散される。
【００３０】
また、仕切板５１のガイド部５２ａないし５２ｄのうち、ガイド部５２ａは、図４に示すように矢印Ｂ方向に向かって、矢印Ｃ方向に傾斜している。したがって、第２の流体取り入れ口６２からルーバー３０内に取り入れられ水平方向に向かう空気は、このガイド部５２ａによって斜め上方（矢印Ｃ方向）に向かうように方向が変えられる。
【００３１】
また、仕切板５１のガイド部５２ａないし５２ｄのうち、ガイド部５２ｃ，５２ｄは、図４に示すように矢印Ｂ方向に向かって、矢印Ｄ方向に傾斜している。したがって、第２の流体取り入れ口６２からルーバー３０内に取り入れられ水平方向に向かう空気は、これらガイド部５２ｃ，５２ｄによって斜め下方（矢印Ｃ方向）に向かうように方向が変えられる。すなわち、第２の流体取り入れ口６２からルーバー３０内に取り入れられ水平方向に向かう空気は、第２の流体吐き出し口６４から吐き出されるとき、これらガイド部５２ａ，５２ｃ，５２ｄによって上下方向（矢印Ｃ−Ｄ方向）に拡散される。
【００３２】
このように構成されたルーバー３０をパネル４に取り付けるには、図５に示すようにルーバー３０をパネル４の背面側からパネル４内に差し入れ、図２に示すように下端部３０ａをパネル４の枢支突起２１に係合させる。そして、この枢支突起２１を回動中心として、ルーバー３０の上部を回動させ、図７に示すように張り出し部３２ａ，４２ａをパネル４の係合段部２２に係合させることにより、第１および第２の流体吐き出し口６３，６４をパネル４の吹出口５に合致させる。
【００３３】
次いで、カバー２５をねじ２６によってパネル４のボス２３に取り付けることにより、カバー２５がルーバー３０の被係合突起４１ａに係合する。したがって、ルーバー３０がカバー２５とパネル４とに挟まれることにより、ルーバー３０がパネル４に固定される。このように、ルーバー３０をパネル４に取り付ける際にパネル４に固定するカバー２５を利用して行うため、取付け作業が容易になるとともに組付け工数が削減される。このようにパネル４に取り付けられたルーバー３０は、第１の流体取り入れ口６１が空気清浄装置１１のイオン排出口２０ａに合致され、第２の流体取り入れ口６２がイオン排出口１９ａに合致される。
【００３４】
次に、図２、図３、図７を用いてこのように構成されたルーバーによる空気の流れについて説明する。ブロアー１３を作動させると、台間機３内の空気が吸込口１３ａからブロア１３内に吸入され、吐出口１３ｂからイオン用ダクト１９，２０内に空気Ｗ１が吐出される。イオン用ダクト１９に吐出された空気Ｗ１にはマイナスイオンが放出され、マイナスイオンが含有された空気Ｗ２が排出口１９ａから第２の流体取り入れ口６２を経由してルーバー３０内に取り入れられる。ルーバー３０内に取り入れられた空気Ｗ２は、ルーバー３０の第２の流体吐き出し口６４を経由してパネル４の吹出口５から外部に排出される。
【００３５】
このとき、第２の流体吐き出し口６４の幅Ｇ１が、第２の流体取り入れ口６２の幅Ｇ２よりも小さく形成されているため、第２の流体吐き出し口６４を経由して吹出口５から外部に排出される空気Ｗ２は流速が増加しているので、浄化された充分な量の空気が遊技者までに届き、遊技者の周りが十分に浄化される。また、第２の流体吐き出し口６４の幅方向と直交する方向（図２において矢印Ｃ−Ｄ方向）の寸法Ｌが、第２の流体取り入れ口６２の幅方向と直交する方向（図２において矢印Ｃ−Ｄ方向）の寸法ｌよりも大きく形成されており、かつ仕切板５１にガイド部５２ａないし５２ｄが設けられていることにより、第２の流体吐き出し口６４を経由して吹出口５から外部に排出される空気Ｗ２は上下方向（矢印Ｃ−Ｄ方向）に拡散されるから、浄化された空気によるエアーカーテンが隣接する遊技台との間を確実に遮断する。
【００３６】
同様に、イオン用ダクト２０に吐出された空気Ｗ１にはプラスイオンが放出され、プラスイオンが含有された空気Ｗ２が排出口２０ａから第１の流体取り入れ口６１を経由してルーバー３０内に取り入れられる。ルーバー３０内に取り入れられた空気Ｗ２は、ルーバー３０の第１の流体吐き出し口６３を経由してパネル４の吹出口５から外部に排出される。
【００３７】
このとき、第１の流体吐き出し口６３の幅Ｇ１が、第１の流体取り入れ口６１の幅Ｇ２よりも小さく形成されているため、第１の流体吐き出し口６３を経由して吹出口５から外部に排出される空気Ｗ２は流速が増加しているので、浄化された充分な量の空気が遊技者に届き、遊技者の周りが十分に浄化される。また、第１の流体吐き出し口６３の幅方向と直交する方向（図２において矢印Ｃ−Ｄ方向）の寸法Ｌが、第１の流体取り入れ口６１の幅方向と直交する方向（図２において矢印Ｃ−Ｄ方向）の寸法ｌよりも大きく形成されており、かつ仕切板５１にガイド部５１ａないし５１ｄが設けられていることにより、第１の流体吐き出し口６３を経由して吹出口５から外部に排出される空気Ｗ２は上下方向（矢印Ｃ−Ｄ方向）に拡散されるから、浄化された空気によるエアーカーテンが隣接する遊技台との間を確実に遮断する。
【００３８】
また、ルーバー３０に仕切板５１が設けられていることにより、イオン用ダクト１９から吐出されたマイナスイオンを含有した空気Ｗ２と、イオン用ダクト２０から突出されたプラスイオンを含有した空気Ｗ２がルーバー３０内で混在することがないから、吹出口５から排出される空気Ｗ２による浄化作用が低下するようなことがない。
【符号の説明】
【００３９】
１…遊技装置、２…パチンコ台、３…台間機、４…パネル、５…排出口、１１…空気清浄装置、１８…仕切壁、１９，２０…イオン用ダクト、２１…枢支突起、２５…カバー、３０…ルーバー、３７，３８，３９…弾性係合片、４７ａ，４８ａ，４９ａ…係合孔、５１…仕切板、５１ａないし５１ｄ，５２ａないし５２ｄ…ガイド部、６１…第１の流体取り入れ口、６２…第２の流体取り入れ口、６３…第１の流体吐き出し口、６４…第２の流体吐き出し口。
【図１】
0005654275.tif 000002
【図２】
0005654275.tif 000003
【図３】
0005654275.tif 000004
【図４】
0005654275.tif 000005
【図５】
0005654275.tif 000006
【図６】
0005654275.tif 000007
【図７】
0005654275.tif 000008